Podtech/llm-jp-corpus-v4-ja_patent huggingface dataset:
(57)【要約】【課題】装置内に給水のために接続し管系内を流れる水が８０℃以上に及ぶ高温水で、かつ、この高温水の中に含まれているカルシウムの濃度が高いものであっても機械的強度が十分で長期に使用することができる流体検視器を供給する。【解決手段】流体検視器に用いる外管１には耐熱性及び透明度が高い硼酸ガラスを使用し、外管１の内部には透明なＰＦＡふっ化樹脂製の内管２を用いることにより、流体がカルシウム濃度が高い高温水でも対応することができる二重管の構成にした。【選択図】図１ 
2005172478.tif 000002
【特許請求の範囲】
【請求項１】
硼珪酸ガラス管からなる外管１と、この外管１の内部に透明なＰＦＡふっ化樹脂製の内管２設けて二重管にした流体検視器３０であって、これらの外管１と内管２とはホルダー３に取り付けられた入口継手１０と出口継手２０で保持され、この内管２の内部にはフロート６が収納され、このフロート６は水５が流れていないときには圧縮バネ９で常に入口継手１０のフロートの座１３に押圧されていることを特徴とする内管２を設けて二重管にした流体検視器。
【発明の詳細な説明】
【技術分野】
【０００１】
本発明は、高温水中に含まれたカルシウムに対して対抗性がある流体検視器に関する。
【背景技術】
【０００２】
管内を流れている流体が、所定の流量を流れているかどうかを目視することができる流体検視器に関する。
従来の流体検視器は、成型機等の装置に対して水の供給が行われるが、この水が正常に流れているかどうかを目視することを目的として用いられている。この場合の水温は通常４０℃以下に設定されていて、この水が成型機等の装置の管系を循環する構成のものであった。
【０００３】
しかし管系を流れている水の温度が特例の場合には、８０℃以上の高温の環境下で使用されるような所へ用いられることがある。この場合には、従来用いていた管がアクリル樹脂（合成樹脂の中では最も透明度が高い）では熱劣化で機械的強度が不十分である。しかし高温に対応できる合成樹脂がないので透明度は維持しながらしかも耐熱に強い硼珪酸ガラス管を使用して対応していた。
【０００４】
しかし、水が８０℃以上の高温水の場合であって、この水が管系内を循環して流れる構成で使用されているとき。この水の中にカルシウムが含まれていると、水が蒸発してカルシウム濃度が次第に高まる傾向がある。このとき従来使用している硼酸ガラス管はカルシウム濃度が高まると急激にその肉厚が減耗し、従って機械的な強度が不足してしまうことがわかった。
【０００５】
硼酸ガラス管は透明度が高く耐熱性に富んではいるが、水の中にカルシウムが含まれているとその接触により硼酸ガラスの肉厚が減耗してしまい、ついには機械的強度の不足で破裂に至る恐れがある。その場合には高温の水が周囲に飛散し危険を伴う。
【特許文献１】実公平３−７６６８号公報
【発明の開示】
【発明が解決しようとする課題】
【０００６】
本発明は、高温の水の中にカルシウムが含まれる環境下でも、長期の使用に耐えることができる流体検視器を提供しようとするものである。
【課題を解決するための手段】
【０００７】
本発明の流体検視器は、硼珪酸ガラス管が、管内を流れるカルシウム溶液には直接接触しないよう、硼珪酸ガラス管の内部にカルシウム溶液に強いＰＦＡふっ化樹脂の内管を設けて内外二重管の構造の流体検視器を提供しようとするものである。
【発明の効果】
【０００８】
本発明の流体検視器は、使用される流体が水であって、その水が高温でかつカルシウム濃度が高いような環境下でも長期間にわたって使用することことができる特徴がある。
【発明を実施するための最良の形態】
【０００９】
流体検視器に用いる外管１には耐熱性及び透明度が高い硼酸ガラスを使用し、外管１の内部には透明なＰＦＡふっ化樹脂製の内管２を用いることにより、流体がカルシウム濃度が高い高温水でも対応することができる二重管の構成にした。
【実施例１】
【００１０】
図１は、本発明の実施例を示す断面図である。１は耐熱性に強い硼珪酸ガラス管の外管である。２は外管１の内部に設けた透明なＰＦＡふっ化樹脂製の内管である。
【００１１】
３はこれら外管１及び内管２を保護するためのホルダーである。このホルダー３には入口継手１０と出口継手２０がねじ４が設けられ、このねじ４で入口継手１０と出口継手２０が固着されている。この入口継手１０と出口継手２０には外部の管と接続するためのねじ１１と２１が設けられている。
【００１２】
この入口継手１０と出口継手２０にはそれぞれＯリング１２と２２が取り付けれ、管内からの高温水５の漏水を防止するため内管２に接圧している。６はフロートであり、入口継手１０の上面に設けたフロートの座１３に高温水５が流れていないときには圧縮ばね９のの圧力によって押圧され載置されている。
【００１３】
フロート６には、入口継手１０の水路管１４を流れてきた高温水５を流す流路７と圧縮ばね９のばね座８が設けられている。圧縮バネ９は出口継手２０のばね座２３とフロート６のばね座８間に設置されている。
【００１４】
２４は出口継手に設けられた水路穴である。高温水５の流量が増えると水圧でフロート６が上昇し出口継手２０の突出部２５に突き当たる。このとき高温水５はバイパスとしての突出部２５の側面に設けた水路穴２４から水路管２６を経て流れ出る。
【００１５】
図１に示すごとき流体検視器３０の構造にしたために、流体検視器をアルカリの濃度が高くかつ温度が高い水が流れる管系に用いても、ＰＦＡふっ化樹脂製の内管にアルカリ溶液に強く、かつ外部から目視するための透明度も確保できるので安全で長期間の使用に耐えることができるようになった。
【図面の簡単な説明】
【００１６】
【図１】本発明の実施例を示す断面図である。
【符号の説明】
【００１７】
１    外管
２    内管
３    ホルダー
４    ホルダーのねじ
５    高温水
６    フロート
７    フロートの水路穴
８    フロートのばね座
９    圧縮ばね
１０  入口継手
１１  入口継手のねじ
１２  Oリング
１３  フロートの座
１４  水路管
２０  出口継手
２１  出口継手のねじ
２２  Oリング
２３  圧縮ばねの座
２４  水路穴
２５  突出部
２６  水路管
３０  流体検視器
【図１】
2005172478.tif 000003
(57)【要約】      （修正有）【課題】外部からのエネルギーを使わず動き続ける駆動装置を提供する。【解決手段】８の字に描かれたレール上を、高比重箇所４からなる可動リング３に固定誘導装置で固定して固定誘導装置を回転させれば、可動リングが回転する。可動リングが、軸の周囲を１回転する間に高比重箇所は、８の字を１回描く動きをする。可動リング自体は、回転運動して遠心力が発生し高比重箇所は差動運動して圧力を発生させる。高比重箇所の直線と曲線で動きの変化により固定誘導装置に圧力を与えると共に可動リングに回転力を与える。固定誘導装置は、受け取った力で可動リングに回転力を与え可動リングは、高比重箇所に動く力を与えるので必要な回転数にまで上がれば電力を切っても動き続ける事が可能である。遠心力の変化により、高比重箇所が中心から一番離れた方向に動こうとする圧力が働くので装置自体の直線移動を可能とする。【選択図】  図３
2005172004.tif 000002
【特許請求の範囲】
【請求項１】
高比重箇所から成る可動リングを回転させる事を特徴とする
高比重箇所には、ツメが設けられレール基盤により動く範囲が決められている事を特徴とする
可動リングは、固定誘導装置で固定されているが横方向スライド可能である事を特徴とし、更に回転可能である事を特徴とする
可動リングを回転させる為に固定誘導装置をモーターで回転させる方法と固定誘導装置を電気アームで振動させ回転させる方法がある事を特徴とする
以上の事を特徴とした回転運動に８の字差動運動を取り入れた駆動装置。
【発明の詳細な説明】
【技術分野】
【０００１】本考案は、回転運動に差動運動をとりいれた燃料を必要としない駆動装置である。
【背景技術】
【０００２】全ての動力において燃料は、必要であった、その燃料は自然界から採取する必要があり、無限ではない。
【発明の開示】
【発明が解決しようとする課題】
【０００３】自然界の燃料を必要としないため自然保護になり更に、電力の場合は、原子力のような危険がない。
【課題を解決するための手段】
【０００４】本考案は、回転運動に差動運動を取り入れ遠心力と圧力を利用してそれぞれの力が、力を受け与え合いながら駆動し続ける事を特徴とする。
【発明の効果】
【０００５】本考案は、動かす最初の電力だけで駆動を続ける
その電力も本考案の装置を軸のある円盤状の物の円周上に出力する事で容易に回転力を得られるので発電機に出力すれば発電可能であるので電力を充電池に蓄えれば燃料または、電力を、一切必要としない利点がある。
【発明を実施するための最良の形態】
【０００６】回転運動内に差動運動（この差動運動は、８の字）を取り入れその差動運動により直線での慣性や曲線での遠心力とその際に発生する圧力変化などそれぞれの力のバランスで永久に駆動させる事である。
【実施例】
【０００７】図１は、本考案の差動運転を表した図である８の字形を描いた様にレールが設けてありこのレールに沿いながら可動リングからなる高比重箇所が動く動きの変化や遠心力の変化で圧力を発生させると共に駆動力になる。
【産業上の利用可能性】
【０００８】全ての動力に適用可能である。
【図面の簡単な説明】
【０００９】
【図１】レール基盤
【図２】本考案の表断面図
【図３】本考案の裏断面図
【符号の説明】
【００１０】１、      レール基盤
２、      軸
３、      可動リング
４、      高比重箇所
５、      ツメ
６、      固定誘導装置
【図１】
2005172004.tif 000003
【図２】
2005172004.tif 000004
【図３】
2005172004.tif 000005
(57)【要約】【課題】  従来の可撓管継手は、その外周に補強体を螺旋状に巻回しているため、ひねり、伸縮が容易にできない欠点があった。【解決手段】  本発明の可撓管継手は、内面が平滑な柔軟性のある軟質筒状本体の両端部分を除く外周面に軸方向に互いに離間した複数の硬質リングを一体に形成する。上記硬質リングには補強材が組み込まれている。上記硬質リングは軸方向貫通孔を有し、この貫通孔内に上記筒状部分を形成する材料が入り込んでいる。上記硬質リングはその内周面に突起を有し、この突起が上記軟質筒状本体に入り込んでいる。【選択図】  図１
2005172186.tif 000002
【特許請求の範囲】
【請求項１】
内面が平滑な柔軟性のある軟質筒状本体と、この軟質筒状本体の両端部分を除く外周面に一体に形成した軸方向に互いに離間した複数の硬質リングとより成ることを特徴とする可撓管継手。
【請求項２】
上記硬質リングに補強材が組み込まれていることを特徴とする請求項１記載の可撓管継手。
【請求項３】
上記硬質リングが軸方向貫通孔を有し、この貫通孔内に上記軟質筒状部分を形成する材料が入り込んでいることを特徴とする請求項１または２記載の可撓管継手。
【請求項４】
上記硬質リングがその内周面に突起を有し、この突起が上記軟質筒状本体に入り込んでいることを特徴とする請求項１、２または３記載の可撓管継手。
【発明の詳細な説明】
【技術分野】
【０００１】
本発明は可撓管継手、特に、産業機械、建設機械、物流交通機械、空調機器等における冷媒回路や油圧回路等の配管や住宅の給，排水用に使用される最高圧力10kg／cm2用の可撓管継手に関するものである。
【背景技術】
【０００２】
従来、2本のパイプ間を連通するための蛇腹状としたものや、その外周に螺旋状補強体を巻回して形成した可撓性ホースは知られている（特許文献１）。
【特許文献１】特開２００２−３９４５１号公報（図１）
【発明の開示】
【発明が解決しようとする課題】
【０００３】
然しながら、このような従来のホースはその外周に補強体を螺旋状に巻回しているため、ひねり、伸縮が容易にできない欠点があるばかりでなく、また、可撓管継手ではなく、従って他のパイプとの接続のためには特別な軟質アタッチメントを必要とする欠点があった。
【０００４】
本発明は上記のような欠点を除くようにしたものである。
【課題を解決するための手段】
【０００５】
本発明の可撓管継手は、内面が平滑な柔軟性のある軟質筒状本体と、この軟質筒状本体の両端部分を除く外周面に一体に形成した軸方向に互いに離間した複数の硬質リングとより成ることを特徴とする
【０００６】
上記硬質リングに補強材が組み込まれていることを特徴とする。
【０００７】
上記硬質リングは、軸方向貫通孔を有し、この貫通孔内に上記軟質筒状部分を形成する材料が入り込んでいることを特徴とする。
【０００８】
上記硬質リングは、その内周面に突起を有し、この突起が上記軟質筒状本体に入り込んでいることを特徴とする。
【発明の効果】
【０００９】
本発明の可撓管継手によれば、その両端嵌着部が軟質であるためパイプに対する嵌着をアタッチメントなしでなし得るようになると共に、中間部はひねり、伸縮、曲げが容易でホース継手として秀れた効果を奏するようになる。
【発明を実施するための最良の形態】
【００１０】
以下図面によって本発明の実施例を説明する。
【実施例１】
【００１１】
本発明においては、図１に示すように、パイプ１と２を接続するための可撓管継手３を、内面が平滑な軟質筒状本体４と、この本体４の両端部に形成した上記パイプ１と２に夫々嵌着される嵌着部５と、この嵌着部５を除いて上記軟質筒状本体４の外周面に形成した軸方向に互いに離間した複数の硬質リング６とにより構成する。
【００１２】
上記軟質筒状本体４は例えば可塑性プラスチック材料とし、上記硬質リング６は例えば図２及び図３に示すように硬質プラスチック製のリング本体７によって形成し、このリング本体７を上記軟質筒状本体４の外周面上に軸方向に互いに離間して接着剤により接着あるいは密着、または射出成型、加圧（加流）成型等により一体成形せしめる。
【００１３】
なお、この一体成形の際軟質筒状本体４を形成する材料の一部が入り込む複数の軸方向貫通孔８を上記リング本体７に形成しておくのが好ましい。
【００１４】
然しながらこのような貫通孔８を設ける代りに図４及び図５に示すようにリング本体７の内周面に半径方向内方に突出する突起９を形成し、この突起９が上記軟質筒状本体４内に入り込むようにしても良い。
【００１５】
なお、上記軟質筒状本体４はビニール、ゴム、金属による合成体から成る可撓性のあるものとしても良く、また、必要に応じて布や鋼線を補強材として組み込んだものとしても良い。
【００１６】
上記硬質リング６は、上記軟質筒状本体４より硬質の、例えばＪＩＳ硬度90°以上、Ｄ硬度30°以上の材料によって形成するのが好ましい。
【実施例２】
【００１７】
図６は軟質筒状本体４と硬質リング６を加圧一体成型する場合の他の例を示し、１０は引き抜きを容易にするため軸方向に互いに割り嵌合せしめた棒状の中芯、１１は硬質リング形成部分、１２は金型である。
【００１８】
本発明の可撓管継手３は上記のような構成であるから、その両端嵌着部５は軟質状態を維持し、従ってパイプ１，２に対する嵌着を特別なアタッチメントなしでなし得ると共に、その中間部は互いに離間した硬質リング６を有するため硬質性を維持しながらひねり、伸縮、曲げが容易となり、可撓管継手としての機能を十分に発揮できるようになる大きな利益がある。
【図面の簡単な説明】
【００１９】
【図１】本発明の可撓管継手の縦断面図である。
【図２】本発明の可撓管継手における凹凸部分形成用リング本体の正面図である。
【図３】図２に示すリング本体の縦断面図である。
【図４】本発明の可撓管継手における凹凸部分形成用リング本体の他の実施例を示す正面図である。
【図５】図４に示すリング本体の縦断面図である。
【図６】本発明の可撓管継手の成型金型の説明図である。
【符号の説明】
【００２０】
１  パイプ
２  パイプ
３  可撓管継手
４  軟質筒状本体
５  両端嵌着部
６  硬質リング
７  リング本体
８  軸方向貫通孔
９  突起
１０  中芯
１１  硬質リング形成部分
１２  金型
【図１】
2005172186.tif 000003
【図２】
2005172186.tif 000004
【図３】
2005172186.tif 000005
【図４】
2005172186.tif 000006
【図５】
2005172186.tif 000007
【図６】
2005172186.tif 000008
(57)【要約】【構成】操作ハンドル部３を防護楯本体部２に回転可能に軸着してなる防護楯１で、操作ハンドル部３が、ハンドル３００と回転盤３０１とを有し回転軸３０２により防護楯本体部２に軸着されている。【効果】操作ハンドル部が、回転可能であるので、操作ハンドルを持つ手首を回す必要がなく、従って、手首への負荷が軽減され、又、肘への負荷も軽減される。【選択図】図１
2005172364.tif 000002
【特許請求の範囲】
【請求項１】
操作ハンドル部を防護楯本体部に回転可能に軸着してなることを特徴とする防護楯。
【請求項２】
操作ハンドル部が、ハンドルと回転盤とを有し回転軸により防護楯本体部に軸着されていることを特徴とする、請求項１に記載の防護楯。
【発明の詳細な説明】
【技術分野】
【０００１】
本発明は、防護楯に関し、特に、建物などへの侵入者への防御具として使用できる防護楯に関するものである。
【背景技術】
【０００２】
楯（盾）は、元来、敵の武器をはじきそらし、さえぎりさける防御武具である。盾には、持盾と置盾の２種類がある。持盾は、元来、戦闘に当たり、片方に武器を、片方に持盾をもつ。置盾は、陣を守る為、並べておく為のものである。
楯は、現在でも、同様に防御具として使用できるものである。
従来例の楯４を、図４及び図５により説明するに、図示のように、楯本体５の上下方向の略中央の幅方向両端部に２個の操作ハンドル６を平行に取付して、当該操作ハンドル６を両手に持ち操作して防御具たらしめている。
しかるに、当該楯は、ジュラルミン製のかなりの重量があり、しかも、図５に示すように、ハンドル６を本体５に溶接などで固定しているので、当該操作ハンドルを両手に持ち操作して防御に当たる場合に、例えば、当該楯を斜めにする等角度（向き）を変えて防御しようとするときに、操作をする者の肘や手首に大きな負荷が掛かるという欠点があった。
【発明の開示】
【発明が解決しようとする課題】
【０００３】
本発明は、上記従来技術の有する欠点を解消した新規の技術を提供することを目的としたものである。
本発明の他の目的や新規な特徴については本件明細書及び図面の記載からも明らかになるであろう。
【課題を解決するための手段】
【０００４】
本発明の特許請求の範囲は、次の通りである。
（請求項１）操作ハンドル部を防護楯本体部に回転可能に軸着してなることを特徴とする防護楯。
（請求項２）操作ハンドル部が、ハンドルと回転盤とを有し回転軸により防護楯本体部に軸着されていることを特徴とする、請求項１に記載の防護楯。
【発明の効果】
【０００５】
本発明によれば、操作ハンドル部が、回転可能であるので、操作ハンドルを持つ手首を回す必要がなく、従って、手首への負荷が軽減され、又、肘への負荷も軽減される。
【発明を実施するための最良の形態】
【０００６】
図１に例を示すように、防護楯１は、防護楯本体部２に、２個の操作ハンドル部３を取り付けてなる。
当該操作ハンドル部３は、図２及び図３にも示すように、ハンドル３００と回転盤３０１とを有してなっている。当該ハンドル３００は、例えば、図示のように、その断面がコ字状に形成され、手に把持できるようになっている。当該回転盤３０１は、例えば、図示のように、板状に形成されている。又、当該回転盤３０１は、例えば、図示のように、円形状に形成されている。当該ハンドル３００と回転盤３０１とは、固着する。
防護楯本体部２は、例えば、合成樹脂、金属などで形成される。当該合成樹脂としては、例えば、ポリカーボネートのようなエンジニアリングプラスチックスが、軽く耐衝撃強度等の強度があり好ましい。当該防護楯本体部２は、透明でも、不透明でもよいが、武器等が見える等からは、透明であることが好ましい。
図２に示すように、当該回転盤３０１の中央に開けられた貫通孔と防護楯本体部２に開けられた貫通孔に回転軸３０２を挿通し、当該回転軸３０２の両端に軸受け３０３を装着して、当該回転盤３０１が、図３に示すように、当該回転軸３０２を中心として回転するように防護楯本体部２に軸着する。当該回転盤３０１が回転することにより、ハンドル３００を持つ手首を回転させることなく、当該防護楯本体部２の角度（向き）を自由に変えることができる。従来例では、手首をひねったりして角度を変える必要があったが、手首を回転させることなく、当該防護楯本体部２の角度（向き）を自由に変えることができる。その為、手首に負荷が掛からず、肘に掛かる負荷も軽減できる。
【０００７】
図１に示すように、２個の操作ハンドル部３は、防護楯本体部２において平行ではなく、斜めに配設することが好ましい。
このように斜めに配設することにより、防護楯本体部２の角度（向き）の変更に対する自由度が増し、力のバランスが良くなり、又、防御操作に際しての力を強くできる等の機能を奏し得る。
【０００８】
本発明では、適宜変更が可能であり、例えば、防護楯本体部２に背負いひもを取り付ける、防護楯本体部２に文様を施す等を実施できる。
又、前記実施例では、回転軸の軸着に軸受けを使用する例を示したが、手首を回転させることなく、回転盤を回転させそれにより防護楯本体部の角度（向き）の変更ができれば、締結部材やフランジ等による他の方法によってもよい。
更に、防護楯本体部は、前記実施例では、長方形のものを例示したが、円形等他の形状のものであってもよい。
【産業上の利用可能性】
【０００９】
本発明は、刃物を持った侵入者に立ち向かう等の身を守るための各種の防護具として利用できる。
【図面の簡単な説明】
【００１０】
【図１】本発明の実施例を示す防御楯の構成図である。
【図２】本発明の実施例を示す防御楯の要部断面図である。
【図３】本発明の実施例を示す操作ハンドル部の構成図である。
【図４】従来例を示す構成図である。
【図５】従来例を示す断面図である。
【符号の説明】
【００１１】
１    防護楯
２    防護楯本体部
３    操作ハンドル部
３００    ハンドル
３０１    回転盤
３０２    回転軸
【図１】
2005172364.tif 000003
【図２】
2005172364.tif 000004
【図３】
2005172364.tif 000005
【図４】
2005172364.tif 000006
【図５】
2005172364.tif 000007
(57)【要約】【課題】  従来、内部に空洞を分散させた金属を作る方法としては、機械加工と接合や、金属粉末焼結の方法しかなかった。前者は、加工効率が悪いのみならず、空洞の微細化が困難である。また、後者では高い空隙率が得られない。【解決手段】  金属内に金属酸化物を分散させ、その金属を、水素または水素を含む雰囲気中で高温に加熱し、水素が金属酸化物を還元するときにできる水の蒸気圧で、金属を膨張せしめた。  水素分子は小さくて、高温で金属内に拡散・浸入出来るが、水の分子（蒸気）は大きいため、金属内で動けない性質を利用したものである。【特許請求の範囲】
【請求項１】
内部に、Ｓｎ，Ｐｂ，Ａｇ，Ｐｄ、Ｃｕ，Ｎｉのうちの１種類以上の金属を主成分とする金属酸化物を分散させた金属を、水素または水素を含むガス中で、６００℃以上の温度で加熱する、発泡金属製造法と、それにより得られた発泡金属。
【発明の詳細な説明】
【技術分野】
【０００１】  本発明は、内部に微細な空洞を分散させた発泡金属と、その製造法に関するものである。
【背景技術】
【０００２】  金属内部に空洞を分散させる方法としては、機械加工と接合、や金属粉末の圧縮・焼結による方法がある。
【発明の開示】
【発明が解決しようとする課題】
【０００３】  しかし、上記の方法は、機械加工の場合、作業効率が悪い上に、微細な空洞は得られない。【０００４】  粉末焼結のみによる方法は、作業性は良いが、高い空隙率を得ることは出来ない。
【課題を解決するための手段】
【０００５】  本発明は、かかる欠点を排除するために、金属内に金属酸化物を分散させ、その金属を、水素または水素を含む雰囲気中で高温に加熱し、水素が酸素と反応して出来た水の蒸気圧で、金属を膨張せしめるものである。【０００６】  一般に金属を溶解鋳造する場合、脱酸剤を効かして溶解し、酸素を含まない状態で鋳造することが健全な金属を得るのに重要な条件とされている。また鋳造後は、所定の寸法と、特性を得るために、加工・熱処理が施されるが、この熱処理についても、金属内に酸化物が含まれている場合、その雰囲気は、水素を含ないかまたは含まれていても、極く微量が望ましいとされている。【０００７】  それは次の理由によるためである。
脱酸不十分な状態で溶解鋳造された金属――特に銅または銅合金――は、高温で加熱されると、加熱雰囲気が真空または不活性ガス中であれば、内部の酸化物は目立った挙動を示さないが、水素やアンモニア分解ガスなどの水素を含むガス中で加熱すると、（たとえば銅合金の場合８００℃で、）「ふくれ」が生ずる。これは俗に「水素病」といわれている現象で、高温で活性化した水素が、高温で結合力の弱まった結晶粒界や、高温で増加した金属結晶内の原子空孔を介して内部に浸入して、金属酸化物を脱酸し、この脱酸のときに生じた水（Ｈ２Ｏ）は水素（Ｈ２）より分子が大きいため外部に逃げ難く、金属内部に残り水蒸気になって膨張しようとし、一方、高温の金属は軟化しているので、伸びやすく、その結果「ふくれ」となって現れるためである。【０００８】  本考案は、上記の現象を逆に利用し、敢えて金属酸化物を混入させ、敢えて水素雰囲気中で加熱し、その効果を助長せしめたものである。なお、特許請求範囲で酸化対象金属にＦｅ，Ｚｎ，Ｃｒ，Ｖ，Ｍｇ，Ｍｎ，Ｍｏなどを含めなかったのは、これらの金属は水素より酸化力が強いか同等なので、水素による還元効果が期待できないためである。
【発明の効果】
【０００９】  本発明によると、金属酸化物の添加率は自由に変えることが出来るので、金属本来の比重から、水より軽い金属まで任意の比重の金属が得られる。
また、空洞は、酸化金属の還元により得られるので、酸化金属に粉末を用いることにより、空洞の微細化が可能である。
【発明を実施するための最良の形態】
【００１０】  本発明の実施にあたっては、先ず、金属内に金属酸化物を分散させる必要がある。【００１１】  これには、種々な方法があるが、もっとも容易で効率的なのは、金属粉末とその酸化物を用いる方法である。【００１２】たとえば銅粉を用意し、その一部（１／１０，０００〜１／１，０００）を酸化させた後、粉砕し、元の銅粉と合わせて混合すれば、後は一般の粉末冶金に用いられている方法に準じて、容易に水素処理前のバルクが得られる。ただし、潤滑剤（ステアリン酸亜鉛など）を用いた場合の脱バインダ処理や焼結のための熱処理の雰囲気には、水素を含むガスを用いてはならない。【００１３】  焼結体が得られた時点で、それをそのまま、または、加工後、水素を含む雰囲気で加熱（たとえば８００℃）すれば発泡体が得られる。【００１４】  このとき鉄枠のような型を用いると、膨張を規制することが出来、特定の形状の発泡体を得ることも可能である。【００１５】  この他、金属板に金属酸化粉を挟んで圧着したり、パイプに金属粉と酸化金属粉を混入させて、押し出しにより両者の混合体を得ることも可能である。押し出しと伸線加工を用いた場合には、線または棒の長手に沿って伸びた特徴的な空洞が得られる。【００１６】  また、粉末法の場合、部分的に金属酸化物の含有量を変化させることにより、発泡体の重心の位置を変化させることも出来る。
【産業上の利用可能性】
【００１７】  本発明により、金属の軽量化が図れるので、つぎの用途が可能である。
１．軽量門扉
２．耐熱軽量容器
３．浮き
４．ボート
５．電磁波吸収性レンガ・壁・屋根
６．型内で膨張させた装飾品
７．酒に浮遊しやすい金箔・金めっき銅箔
(57)【要約】【課題】  ワイヤーロープの外気温による伸縮の緩和、及び衝撃荷重の緩和【解決手段】  湾曲させた弾性体をワイヤーロープに沿わせて架設する。【選択図】  図１
2005314981.tif 000002
【特許請求の範囲】
【請求項１】
湾曲させたスプリング板にワイヤーロープを沿わせて固定し
ワイヤーロープにかかる緊張力をスプリング板が変形することにより緩和、もしくは一定の張力に保つ作用をさせる構造。
【請求項２】
転石予防工（ワイヤーネット工、ワイヤーロープ掛工等）において、請求項1の様な構造の弾性体をワイヤーロープに取り付け、ワイヤーロープの伸縮による夏場の緩み,冬場の緊張過多を防止する機構及び工法。
【請求項３】
落石防護工（落石防止フェンス,落石防護網工等）において、請求項１の様な構造の弾性体をワイヤーロープに取り付け、ワイヤーロープにかかる転石の衝撃荷重を緩和し、吸収エネルギーを増大する機構及び工法。
【発明の詳細な説明】
【技術分野】
【０００１】
落石災害防止。
【背景技術】
【０００２】
ワイヤーロープを使用する落石対策工において、温度差によるワイヤーロープの伸縮による弊害の解消策、又衝撃的な荷重の緩和はなされていなかった。
【発明の開示】
【発明が解決しようとする課題】
【０００３】
温度差によっておこるワイヤーロープの伸縮による弊害の解消、及び衝撃荷重の緩和。
【課題を解決するための手段】
【０００４】
図１にある様に湾曲した弾性体にワイヤーロープを沿わせて架設し、その両端を緊張すると緊張の度合いにより湾曲した弾性体はワイヤーロープと共に一直線になる方向で変形する。この時にワイヤーロープの緊張とは反対方向に弾性体の反力が働き、問題点の解消が計られる。尚本件はワイヤーロープの緊張力と弾性体の変形が一定では無く、弾性体が直線に近づくとワイヤーロープの刃断強度まで至る点が特筆される。そこで湾曲部の形状を変更することにより、様々なワイヤーロープの用途に対処できる。
【発明の効果】
【０００５】
図１にある様に湾曲した弾性体にワイヤーロープを沿わせて架設することにより落石防止工においては、夏場と冬場の温度差によって生じるワイヤーロープの伸縮による落石への影響を回避できる。又、落石防護工に置いては、本案を取り付けることにより落石エネルギーを吸収し、各部品の破損防止、構造物の機能維持に効果がある。
【図面の簡単な説明】
【０００６】
【図１】本件実施図
【図２】本件の平面図
【図３】本件の側面図
【図１】
2005314981.tif 000003
【図２】
2005314981.tif 000004
【図３】
2005314981.tif 000005
(57)【要約】【発明の名称】  結晶性の界面活性剤を可溶化、マイクロエマルジョン化し安定に配合する組成【課題】結晶性の界面活性剤を用いたマイクロエマルジョンによる配合組成物は、化粧品の基剤として有望であるが、地球上の温帯域での通年温度変化、特に冬季の低温下での流動性の確保が困難であり、実用性に欠けることは否めなかった。結晶性の界面活性剤を可溶化、マイクロエマルジョン化した剤型の通年温度変化による結晶生成を抑制し、温度安定性、特に低温域での流動性の確保が課題となっていた。【解決手段】本発明者は結晶性の界面活性剤に、常温で液体のアルコール、特にＣ７以上の高級アルコールを添加することにより、温度安定性が増し、低温域での流動性を確保できることを発見した。【特許請求の範囲】
【請求項１】
結晶性の界面活性剤からなり、地球上の温帯域における通常の温度範囲＋５℃から４０℃の全域に亘って流動性があり透明〜半透明であることを特徴とする
組成物
【請求項２】
上述組成物には結晶性の界面活性剤と常温で液体のアルコールを含有する。
【請求項３】
上述組成物に含有される上記アルコールがＣ７以上の高級アルコールである。
【発明の詳細な説明】
【発明の詳細な説明】
【技術分野】
【０００１】本発明は、ハイドロキノン等有効成分と結晶性の界面活性剤をマイクロエマルジョン化し安定に配合することによって地球上の温帯域における通常の温度範囲＋５℃から４０℃の全域に亘って流動性が持続する製剤を提供する。
【背景技術】
【０００２】化粧料に含まれる有効物質、例えば、美白化粧品におけるハイドロキノンは空気中で自動酸化により黄色のキンヒドロンを自動生成するため、酸化安定性に乏しく、酸素や光への暴露を抑制する必要があった。酸化防止剤の添加は、酸化安定性を高めるが、これによって肌荒れを起こすケースも報告されている。酸化防止剤を添加することなしに酸化安定性を向上させる工夫としてハイドロキノンと界面活性剤との分子錯体を形成させる試みもなされている。
【発明が解決しようとする課題】
【０００３】保護剤を添加することなしに化学的に不安定な有効物質を界面活性剤との分子錯体の形で保護する剤型は、保護剤による人体への干渉を考慮する必要がないため化粧料として有望であるが、地球上の温帯域での通年温度変化、特に冬季の低温下での流動性の確保が困難であり、実用性に欠けることは否めない。
【課題を解決するための手段】
【０００４】そこで、本発明者らは、上記課題を解決すべく、結晶性の界面活性剤に、常温で液体のアルコール、特にＣ７以上の高級アルコールを添加することにより、低温域での流動性を確保できることを発見し、酸化安定性にも優れた美白剤として、本発明の処方を完成するに至った。
【発明を実施するための最良の形態】
【０００５】本発明の１の態様においては、結晶性の界面活性剤を用いたマイクロエマルジョンの、特に低温域での結晶成長による流動性の喪失を解消した組成物を提供する。【０００６】前記結晶性の界面活性剤は、オクタデシルトリメチルアンモニウム・ブロマイド（ＳＴＡＢ）、オクタデシルトリメチルアンモニウム・クロライド（ＳＴＡＣ）、ヘキサデシルトリメチルアンモニウム・ブロマイド（ＣＴＡＢ）、ヘキサデシルトリメチルアンモニウム・クロライド（ＣＴＡＣ）、テトラデシルトリメチルアンモニウム・ブロマイド（ＭＴＡＢ）、テトラデシルトリメチルアンモニウム・クロライド（ＭＴＡＣ）、ヘキサデシルメチルベンジルアンモニウム・ブロマイド（ＣＤＢＡＢ）、ヘキサデシルジメチルベンジルアンモニウム・クロライド（ＣＤＢＡＣ）、テトラデシルジメチルベンジルアンモニウム・ブロマイド（ＢＺＢ）、テトラデシルジメチルベンジルアンモニウム・クロライド（ＢＺＣＬ）、ドデシルトリメチルアンモニウム・ブロマイド（ＬＴＡＢ）、ドデシルトリメチルアンモニウム・クロライド（ＬＴＡＣ）、デシルトリメチルアンモニウム・ブロマイド（ＤＴＡＢ）、デシルトリメチルアンモニウム・クロライド（ＤＴＡＣ）、ドデシルジメチルベンジルアンモニウム・ブロマイド（ＬＤＢＡＢ）、ドデシルジメチルベンジルアンモニウム・クロライド（ＬＤＢＡＣ）、デシルジメチルベンジルアンモニウム・ブロマイド（ＤＤＢＡＢ）、デシルジメチルベンジルアンモニウム・クロライド（ＤＤＢＡＣ）、及びｎ−ドデシル−β−Ｄ−マルトシド（ＤＭ）から成る群から選ぶことができ、そして好ましくは、オクタデシルトリメチルアンモニウム・クロライド（ＳＴＡＣ）、ヘキサデシルトリメチルアンモニウム・クロライド（ＣＴＡＣ）、テトラデシルトリメチルアンモニウム・クロライド（ＭＴＡＣ）、ヘキサデシルジメチルベンジルアンモニウム・クロライド（ＣＤＢＡＣ）、及びテトラデシルジメチルベンジルアンモニウム（ＢＺＣＬ）から成る群から選ばれる界面活性剤とハイドロキノンからなる結晶性の分子錯体が提供される。【０００７】前記常温で液体のアルコールは、メタノール、エタノール、ｎ−及びｉｓｏ−プロパノール、ｎ−、ｉｓｏ−、ｓｅｃ−、ｔｅｒｔ−ブタノール、ペンタノール・ヘキサノールの全ての同族体など所謂低級アルコールの他、Ｃ７以上の高級アルコールであるヘプタノール・オクタノール・ノナノールの全ての同族体並びにデカノール−１（融点６．９℃）、デカノール−２（融点−２．４℃）、ウンデカノール−１（融点１５．９℃）、ウンデカノール−２（融点０℃）、ドデカノール−２（融点５．０℃）、トリデカノール−２（融点１７．０℃）、そして不飽和１級アルコールではＣ３からＣ１８までに常温で液体の同族体が存在することが知られている。また、オレイルアルコール（融点２℃）、ｉｓｏ−ステアリルアルコール、及び天然油脂を鹸化して得られる天然高級アルコールの複合物であるホホバアルコール、ヤシ油アルコールもこの範疇に入る。
本発明はこのような常温で液体のアルコールを網羅する。
【例】
【０００８】表１に示す組成のマイクロエマルジョンを作成し、５℃における流動性（安定性）を調べたところ以下のようであった。
2005314350.tif 000002
【発明の効果】
【０００９】以上のように、常温で液体のアルコールの存在は、組成物の流動性（安定性）を向上させる（比較例１と２の比較）が、このような高級アルコールの存在は、組成物の流動性（安定性）をさらに高める（実施例１と比較例１の比較）ことが判明し、課題が解決することが示された。
(57)【要約】【発明の名称】  脂溶性ビタミン等生理活性物質を二種以上の組合せで含む皮膚外用剤【課題】脂溶性生理活性物質をＯ／Ｗ型のエマルジョンの剤型で皮膚外用剤として用いる際、一般に経皮吸収性を向上せしめる方法としては、浸透剤並びにリポソームを使用する技術がある。しかしながら、前者は皮膚に対する刺激性の問題により配合が制限され、後者は複合系を構成する場合物理化学的安定性に問題があることが知られている。浸透剤による刺激を伴わず、物理化学的に安定な脂溶性生理活性物質含有Ｏ／Ｗ型エマルジョンの提供が課題となっている。【解決手段】本発明は経皮吸収性を向上させるために、既存の上記二通りの方法を用いず、脂溶性ビタミン等生理活性物質二種以上の油滴を微粒子化する方法および組成物を提案する。このことにより、皮膚に対する刺激を低く抑えたまま物理化学的な安定性を確保した脂溶性生理活性物質含有Ｏ／Ｗ型エマルジョンが提供できるようになった。【特許請求の範囲】
【請求項１】
純水に予め超音波分散またはホモミキサーにて分散した脂溶性ビタミン等生理活性物質プレ分散物を６．８６＊１０２ＭＰａ（７００ｋｇＷ／ｃｍ２）以上の高圧下にて純水と共に処理する方法。
【請求項２】
本発明の組成物の油相には、脂肪酸または含シリコーン化合物を用いる。
【請求項３】
脂溶性生理活性物質として、脂溶性アスコルビン酸誘導体および、ビタミンＥを含むその誘導体・同族体、例えばＤ−α−トコフェロール、トコトリエノール同族体、レチノール、メナキノン、コエンザイムＱ１０、ハイドロキノン類、ステロイド類、から少なくとも二種類の物質を選択して用いる。
【発明の詳細な説明】
【発明の詳細な説明】
【技術分野】
【０００１】  本発明は脂溶性生理活性物質を油相に含有するＯ／Ｗ型エマルジョンおよびその製造方法、特に当該物質を含有せしめた油相の微粒子化を実現する方法並びにその結果として構成されるエマルジョンの組成に関する。
【背景技術】
【０００２】  従来、脂溶性生理活性物質をＯ／Ｗ型エマルジョンの剤形で皮膚外用剤として用いる際、経皮吸収性を向上せしめるためには、直鎖アルキルベンゼンスルホン酸またはその塩、スルホコハク酸またはその塩等アニオン型界面活性剤からなる浸透剤を用いて表皮細胞膜と当該生理活性物質との親和性を高めるか、尿素などの柔軟剤を用いて表皮細胞のマトリクスを柔軟化する、或いは、当該生理活性物質をリポソーム化し、Ｏ／Ｗ／Ｏ型複合エマルジョンとする方法が用いられている。
【発明が解決しようとする課題】
【０００３】  しかしながら、浸透剤として用いられる直鎖アルキルベンゼンスルホン酸またはその塩、スルホコハク酸またはその塩等アニオン型界面活性剤等は皮膚細胞膜への親和性を界面活性により高め、尿素などの柔軟剤は表皮細胞膜を柔軟化させることにより脂溶性生理活性物質の皮膚への浸透性を高めるという原理上、表皮細胞に刺激・負担を与えるざるを得ない。一方、Ｏ／Ｗ／Ｏ型エマルジョンのような複合系は、エマルジョン自体の物理化学的安定性に乏しく、容易にＯ／Ｗに相転移または分離し、その結果リポソームが崩壊してしまうという問題点を持っていた。
【課題を解決するための手段】
【０００４】  浸透剤による表皮細胞への刺激・負担を回避し、尚且つ複合系を構成することによるエマルジョンの不安定性をも回避することと、脂溶性生理活性物質の経皮吸収性を高めるために、Ｏ／Ｗ型の単純エマルジョンの油相部分に脂溶性生理活性物質を含有させる方式を採用することとした。
【０００５】
【０００４】の方針に従ってＯ／Ｗ型エマルジョンを構成しても、従来のＯ／Ｗ型エマルジョンでは経皮吸収性は非常に低い。これはエマルジョン中の油滴粒子径が、皮膚細胞膜上の各種の孔よりも大きいことが主因であると考えられる。
【０００６】  従って、脂溶性ビタミン等脂溶性生理活性物質を含有するＯ相をＷ相に常圧の下で形成した油滴粒子より小さい粒子として乳化懸濁する際に、懸濁操作を６．８６＊１０２ＭＰａ（７００ｋｇＷ／ｃｍ２）以上の高圧下にて純水と共に処理することにより、油滴粒子を０．１μｍ以下にコントロールした「サブミクロンエマルジョン」とする。
【０００７】  本発明の組成物の油相には脂肪酸または含シリコーン化合物を用いる。
【発明を実施するための最良の形態】
【０００８】  本発明の脂溶性生理活性物質の実施例として、脂溶性アスコルビン酸誘導体を用いる。皮膚透過性を測定するためのみの実施例であるので、この物質一種のみで実施した。
Ｉｎ  ｖｉｔｒｏ経皮吸収実験：体重２７〜３５ｇ、１０〜２０週令の雄ヘアレスマウスから腹部皮膚を切除し、皮下脂肪を除去してＫｅｓｈａｎｙ−ｃｈｉｅｎ型拡散セルに装着した。
装着後、皮膚表面に各実施例及び比較例の資料を各１ｇ塗布し、その上をパラフィンフィルムで密閉、皮膚裏側に接するレセプター相はｐＨ７．４等張リン酸緩衝液を１０％エタノール水溶液中に加えたものとした。レセプター相を攪拌し、３２℃でインキュベートした。１−６ｈ、１２ｈ、１８ｈ、２４ｈ後にレセプター相より１０μｌ採取して、ＨＰＬＣ法にてテトラ２−ヘキシルデカン酸アスコルビルの透過を定量した。ＨＰＬＣは島津製作所製高速液体クロマトグラフを用いポンプはＬＣ−１０ＡＴｖｐ（１ｍｌ／１ｍｉｎ）ＵＶはＳＰＤ−１０Ａｖｐ（２５４ｎｍ）、固定相は東ソーＯＤＳ−８０ＴＭ、移動相はアセトニトリル：５０ｍＭ  リン酸緩衝液（９／１  ｖ／ｖ），ｐＨ７，カラム温度３５℃にて測定した。この結果を図１に示した。
【発明の効果】
【０００９】実施例１は、本特許の方法で調整したシリコーン−サブミクロンエマルジョン（粒子径９２±３７．９（ｎｍ）による結果である。同様の組成でミクロンエマルジョンである実施例２と比較すると、粒子径をサブミクロン化するための高圧処理によってヘキシルデカン酸アスコルビルの透過性が劇的に高まっていることが明白である。
【００１０】一方、同様のサブミクロンエマルジョン間で比較した場合、脂肪酸であるステアリン酸及びベヘニン酸存在下における比較例２におけるヘキシルデカン酸アスコルビルの透過性は、脂肪酸及びＫＯＨ非存在下のサブミクロンエマルジョン系である比較例１と比較して高くなっていることが判り、脂肪酸及びＫＯＨとシリコーンの共存が実施例１におけるヘキシルデカン酸アスコルビルの透過性が著しく高い理由であると結論づけられる。以上のように本発明の各請求項に基づく脂溶性生理活性物質を含むエマルジョンは、
【課題】
を解決するものである。
2005314351.tif 000002
(57)【要約】【課題】  集合住宅の吹抜け部を利用して電力、ガス、給排水、メーターの供給装置あるいは熱源装置を配置することにある。【解決手段】  複数の住戸を相互に接続する形の共用廊下が設けられた集合住宅において、建物の平面中央部の上下階方向の吹抜け部を電力、ガス、給排水、メーターの供給装置あるいは熱源装置等の設備類の設置スペースとして、前記共用廊下とは別に各装置のメンテナンス及び検針用の通路を配してなる。【選択図】    図１
2005314900.tif 000002
【特許請求の範囲】
【請求項１】
建物の平面中央部の上下階方向の吹抜け部に外気に開放された通路のスペースを突設し、そのスペースを電力、ガス、給排水、メーターの供給装置あるいは熱源装置の設備類の設置場所とし、前記供給装置あるいは熱源装置の設備類が各住戸へ通ずるようにしてあることを特徴とする高層集合住宅。
【請求項２】
前記スペースには電気配線、ガス管、給排水管、通信線、メーター類、熱源線、熱交換器、貯湯槽、または空調室外機の少なくとも１つまたは複数を設置してあることを特徴とする請求項１記載の高層集合住宅。
【発明の詳細な説明】
【技術分野】
【０００１】
この発明は、高層集合住宅の平面中央部に生ずることのある上下階方向の吹抜け部を電力、ガス、給排水及びメーターの供給装置あるいは熱源装置等の設備類の設置スペースとして利用した集合住宅に関するものである。
【背景技術】
【０００２】
最近の高層集合住宅、特に超高層集合住宅は大規模化する傾向にある。
その結果として建築平面の中央部に上下階方向の吹抜け部を設ける場合が多々ある。
図６は吹抜け部、すなわちボイド部を設けた従来例の一例である。この場合各住戸に外方向に開いたバルコニーを配し、熱源装置等を設置している。また、住戸を相互に接続する共用廊下を配し、共用廊下と住戸との間にメーター類を配置する共用空間を配置している。
【０００３】
ところでこの平面計画では機器類の設置場所、メンテナンス用空間の確保、住戸プランの制約がある、等改良の余地が少なくない。
【特許文献１】特許第２７９７２４１号明細書
【特許文献２】特開平４−１２８４７４号公報
【特許文献３】特開平６−１４６５５８号公報
【発明の開示】
【発明が解決しようとする課題】
【０００４】
発明が解決しようとする問題点は、バルコニーに設置している熱源装置等の設備類による美観上、避難動線上の問題、共用廊下と各住戸との間の共用配管、メーター類による住戸プランの制約、居住者と検針員、保守要員の動線が同じことによるセキュリティ上の問題がある。
【課題を解決するための手段】
【０００５】
建物の平面中央部の上下階方向吹抜け部を電力、ガス、給排水、メーターの供給装置あるいは熱源装置等の設備類の設置場所とし、共用廊下とは別に各装置のメンテナンス及び検針用の通路を配してなる。
【発明の効果】
【０００６】
(i)共用廊下と各住戸との間に通常設置される共用配管、メーターボックスが不要となるため各住戸プランの計画上の自由度が増す。
(ii)各住戸のバルコニーに設置されていた熱源装置を少なくできるため美観が向上すると同時に避難上の避難通路を確保しやすい。
(iii)保守点検など廊下側からでなく、上下階方向の吹抜部（ボイド部）側から行うことでセキュリティーが向上すると同時にメンテナンスが行いやすくなる。
(iv)建物のライフサイクルの中での数回行われる供給装置、熱源装置や共用配管等の設備類の更新が、日常生活を阻害することなく、行うことができる。
【発明を実施するための最良の形態】
【０００７】
実施例
図１〜２はこの発明の一実施例を示したもので、複数の住戸２を相互に接続する形の共用廊下５が設けられた集合住宅において、中央部に生じた上下階方向すなわち竪方向の吹抜け部があり、その他、避難階段３、エレベーター４等が配置してある。
【０００８】
吹抜け部１に外気に開放された通路からなるスペースを突設させ、メンテナンス及び検針用の通路６及び電力、給排水等及びメーターの供給装置あるいは熱源装置の設置スペース７とし、前記電力、給排水等装置と住戸間を横引き配管，配線９で横引きし、通じるように構成してある。
【０００９】
通路６へは扉８から出入りができ、メンテナンスおよび検針は共用廊下側ではなく上下階方向の吹抜け部側から行える。通路６の内側には手すり１０等が取付けてある。
ところで前記設備スペースに配置される設備類としては電気配線、ガス管、給排水管、通信線、熱源機、熱交換器、貯湯槽、空調屋外機の少なくとも１つまたは複数が含まれる。
【００１０】
図３，図４，図５はこの発明の他の実施例の平面計画に基づく平面図であり、前記実施例の階段、エレベーターの位置を前記上下階方向の吹抜け部分に配置したものであり、それに応じて廊下、扉の位置を設計変更したものである。
【図面の簡単な説明】
【００１１】
【図１】この発明の実施例の平面図である。
【図２】前記実施例の要部の縦断面図である。
【図３】この発明の他の実施例の平面図である。
【図４】この発明の他の実施例の平面図である。
【図５】この発明の他の実施例の平面図である。
【図６】従来例の平面図である。
【符号の説明】
【００１２】
１…吹抜け(外部)、２、…住戸、３…避難階段、４…エレベーター、５…共用廊下、６…通路、７…供給装置、熱源装置、設置スペース、８…扉、９…横引き配管，配線、１０…手摺、１１…バルコニー
【図１】
2005314900.tif 000003
【図２】
2005314900.tif 000004
【図３】
2005314900.tif 000005
【図４】
2005314900.tif 000006
【図５】
2005314900.tif 000007
【図６】
2005314900.tif 000008
(57)【要約】      （修正有）【課題】新聞のページめくりを容易にする（特に高齢者の手先の乾き、遠視・近視・乱視等の視力障害者のために）ことができる折込方法を提供する。【解決手段】折込線を中心からわずかづつ左にずれるようにし、新聞の左端が毎葉ごとにわずか、左に折込む方式（右開きの新聞）、または新聞の左端を色分け、あるいは段差着色し、求める記事紙面を即座に開けるようにしたものとする。【選択図】図１
2005314101.tif 000002
【特許請求の範囲】
【請求項１】
新聞の折込線の位置（従来は一葉の中心）を一葉ごとに順次左（右）にわずか（１．５ｍｍ程度）づつずらす折込方法
【請求項２】
折込線の左右１〜２ｍｍ程度の幅で樹脂を浸透（又は吹付け）させプレスする
【発明の詳細な説明】
【０００１】新聞の折込線の位置を１葉ごとにわずかづつ左（右）にづらすことによりページめくりが容易になる
【０００２】新聞の折込線に沿って樹脂（硬化性）を浸透させ折り目の乱れを減少する（以上は特に高齢者や寝ながら或いは電車のなかで読む場合は極めて便利となる）
【図面の簡単な説明】
【図１】従来の折線（ａ）を右開きの場合左へ僅か（１．２ｍｍ程度）移動する（ｂ）全葉折込後硬化性樹脂を折り目に沿って浸透させプレスする
【図１】
2005314101.tif 000003
(57)【要約】【課題】少ない数のＬＥＤでもその点灯を遠くからでも明るく視認することができ、スポット照明、電飾、交通信号灯としての用途に適した照明灯具を提供する。また、放熱性を改善しＬＥＤの耐久性、寿命を向上させる。【解決手段】複数のＬＥＤが取り付けられた配線基板と、複数の凹窪が形成され該凹窪の内底部に透孔を開設したアルミ板製の反射板とを具備し、該反射板の背後に前記配線基板を配置しＬＥＤを該透孔を貫通させ該反射板の前面に突出させてなる。【選択図】図３
2005293994.tif 000002
【特許請求の範囲】
【請求項１】
複数のＬＥＤが取り付けられた配線基板と、複数の凹窪が形成され該凹窪の内底部に透孔を開設したアルミ板製の反射板とを具備し、該反射板の背後に前記配線基板を配置しＬＥＤを該透孔を貫通させ該反射板の前面に突出させてなることを特徴とする照明灯具。
【発明の詳細な説明】
【技術分野】
【０００１】
この発明は交通信号灯等に使用されるＬＥＤを光源とする照明灯具に関するものである。
【背景技術】
【０００２】
下記特許文献１に示された交通信号灯は、基板に複数のＬＥＤを取り付け、該ＬＥＤの上方および下方に設けた反射板によって該ＬＥＤの光を下方に反射させ、通行人や車輌運転者に表示を見易くするものであった。また、前面に各ＬＥＤの光軸毎に個々にカットされたレンズを設けて各ＬＥＤの光軸を屈曲させ配光状態を適当に設定した交通信号灯も従来からなされている。
【特許文献１】特開２０００−２７６６９３号公報
【発明の開示】
【発明が解決しようとする課題】
【０００３】
ところで、上記従来のように、ＬＥＤの上方および下方に設けた反射板やレンズによってＬＥＤ光の指向方向を設定する構成では、ＬＥＤの設定位置が僅かに違っても光軸が大きくずれるおそれがあるので、構成，組立を複雑にし、精度を要するものであった。このため製造コストが高くなるものであった。
また、従来では上記ＬＥＤの近くに設けた反射板が、ＬＥＤの放熱性を悪くし、ＬＥＤが過熱状態となり、ＬＥＤ本来の耐久性、長寿命が損なわれるおそれがあった。
【課題を解決するための手段】
【０００４】
この発明の照明灯具は上記課題を解決しようとするもので、複数のＬＥＤが取り付けられた配線基板と、複数の凹窪が形成され該凹窪の内底部に透孔を開設したアルミ板製の反射板とを具備し、該反射板の背後に前記配線基板を配置しＬＥＤを該透孔を貫通させ該反射板の前面に突出させてなることを特徴とする。
【発明の効果】
【０００５】
少ない数のＬＥＤでもその点灯を遠くからでも明るく視認することができ、スポット照明、電飾、交通信号灯としての用途に適した照明灯具を提供できる。また、放熱性が改善されＬＥＤの耐久性が向上する。
【実施例１】
【０００６】
次にこの発明の実施例を図面に従い説明する。この照明灯具は、図１，図２に示したように、前面が開放された円形器状のケース１と、配線基板２と、アルミ板製の反射板３と、透明プラスチック製の前面カバー体４とからなる。５はケース１の後部に設けられた電源コネクタ、６はケース１と反射板３と前面カバー体４の周縁部を重合しその外側を包囲することにより、水分の侵入を防いでいるゴムパッキンである。
【０００７】
配線基板２には複数のＬＥＤ７が適宜間隔を置いて取り付けられ、該各ＬＥＤ７に直流電源が供給されることにより点灯する。反射板３はアルミ板をプレス成形することにより内面が放射面状の凹窪８を適宜間隔で複数形成し、該各凹窪の内底部に透孔９を開設したものである。そして、図３にも示したように、該反射板の背後に配線基板２を配置し、ＬＥＤ７を該透孔９に貫通させ該反射板３の前面に突出させる。なお、ＬＥＤ７は略々砲弾形を呈しており、その底部に一体に成形された環状部７ａが透孔９より大径であるようにし、該透孔９の内側縁に該環状部７ａを当接させることで、該ＬＥＤ７の位置決めがなされる。これによって該ＬＥＤ７の発光部を該凹窪８の放射面の焦点に正確に位置させることができる。また、１０は配線基板２と反射板３の間に介在するアルミ製の筒状スペーサ、１１は該スペーサを貫通し反射板３の背後に配線基板２を固定しているボルト・ナットである。なお、反射板３はアルマイト加工して着色したものを使用することもできる。
【０００８】
このように構成した照明灯具では、点灯によりＬＥＤ７から発せられた光が凹窪８の内面に反射され、前方に指向する。このため、少ない数のＬＥＤでもその点灯を遠くからでも明るく視認することができ、交通信号灯としての用途に適する。また、指向性が高くできることからスポット照明、電飾、等の用途にも適する。
また、点灯中にＬＥＤ７から発せられる熱は、熱伝導性の高いアルミ製であって全面に亘って設けられた広面積の反射板３を通して放熱され、さらに該反射板３の熱はアルミ製の筒状スペーサ１０を介して配線基板２にも伝達されることから、ＬＥＤ７の過熱が防止され、その耐久性、寿命を向上させる。
【図面の簡単な説明】
【０００９】
【図１】この発明に係る照明灯具の正面図。
【図２】図１の照明灯具の縦断面図。
【図３】図２の要部の拡大断面図。
【符号の説明】
【００１０】
１    ケース
２    配線基板
３    反射板
４    前面カバー体
７    ＬＥＤ
８    凹窪
９    透孔
【図１】
2005293994.tif 000003
【図２】
2005293994.tif 000004
【図３】
2005293994.tif 000005